(57)【要約】【課題】ユーザが目的地として設定する可能性が大きい地点を目的地のデータベースに登録できる技術の提供。【解決手段】本発明の目的地登録システムは、目的地と、当該目的地の設定方法とを取得する目的地取得手段と、前記目的地の前記設定方法に応じて、前記目的地を登録対象とするか否かを判定する登録判定手段と、前記登録対象の前記目的地をデータベースに登録する登録手段と、を備える。【選択図】図２
2015132568.tif 000002
【特許請求の範囲】
【請求項１】
目的地と、当該目的地の設定方法とを取得する目的地取得手段と、
前記目的地の前記設定方法に応じて、前記目的地を登録対象とするか否かを判定する登録判定手段と、
前記登録対象の前記目的地をデータベースに登録する登録手段と、
を備える目的地登録システム。
【請求項２】
前記目的地の前記設定方法として、
複数の地点のなかからユーザの意思によって抽出された地点を前記目的地として設定する第１設定方法と、
前記複数の地点のなかからユーザの意思とは無関係に抽出された地点を前記目的地として設定する前記設定方法である第２設定方法と、が少なくとも含まれ、
前記登録判定手段は、
前記第１設定方法によって設定された前記目的地を前記登録対象とすると判定し、
前記第２設定方法によって設定された前記目的地を前記登録対象としないと判定する、
請求項１に記載の目的地登録システム。
【請求項３】
前記第１設定方法は、
前記複数の地点のリストを出力部にて出力し、当該リストのなかからユーザの抽出操作によって抽出された地点を前記目的地として設定する方法であり、
前記第２設定方法は、
前記リストを前記出力部にて出力することなく、前記複数の地点のなかから所定の抽出規則に基づいて抽出した地点を前記目的地として設定する方法である、
請求項２に記載の目的地登録システム。
【請求項４】
走行予定経路上における次の前記目的地に対して、車両がエネルギーを補給することなく到達できない要補給状態であるか否かを判定する補給判定手段と、
前記要補給状態である場合に、前記エネルギーの補給施設を前記目的地として設定するための前記設定方法として、前記第１設定方法と前記第２設定方法とのいずれかを選択する操作をユーザから受け付ける選択手段と、をさらに備える、
請求項２または請求項３のいずれかに記載の目的地登録システム。
【請求項５】
目的地と、当該目的地の設定方法とを取得する目的地取得工程と、
前記目的地の前記設定方法に応じて、前記目的地を登録対象とするか否かを判定する登録判定工程と、
前記登録対象の前記目的地をデータベースに登録する登録工程と、
を含む目的地登録方法。
【請求項６】
目的地と、当該目的地の設定方法とを取得する目的地取得機能と、
前記目的地の前記設定方法に応じて、前記目的地を登録対象とするか否かを判定する登録判定機能と、
前記登録対象の前記目的地をデータベースに登録する登録機能と、
をコンピュータに実現させる目的地登録プログラム。
【発明の詳細な説明】
【技術分野】
【０００１】
本発明は、目的地をデータベースに登録する目的地登録システム、方法およびプログラムに関する。
【背景技術】
【０００２】
ガソリンの残量が所定量以下である場合に、最寄りのガソリンスタンドを検索し、当該最寄りのガソリンスタンドを目的地とする経路を探索する技術が知られている（特許文献１、参照。）。この技術によれば、ガソリンの残量がなくなりそうな場合に、最寄りのガソリンスタンドにて給油しておくことができる。
【先行技術文献】
【特許文献】
【０００３】
【特許文献１】特開２０１１−２７４７２号公報
【発明の概要】
【発明が解決しようとする課題】
【０００４】
一方、目的地として設定された地点（ガソリンスタンド等）をデータベースに登録しておくことが行われている。これにより、目的地として設定された地点のみをデータベースから呼び出すことができ、再度、当該地点を目的地として設定するための操作を容易とすることができる。しかしながら、特許文献１における最寄りのガソリンスタンドは、必ずしもユーザが立ち寄りたいガソリンスタンドであるとは限らない。例えば、ユーザがいつも利用しているブランドと異なるブランドのガソリンスタンドが最寄りのガソリンスタンドとなり得る。このような場合、今後、ユーザが目的地として設定したいと思わないようなガソリンスタンドがデータベースに登録されてしまうという問題が生じる。
本発明は、前記課題にかんがみてなされたもので、ユーザが目的地として設定する可能性が大きい地点を目的地のデータベースに登録できる技術を提供することを目的とする。
【課題を解決するための手段】
【０００５】
前記の目的を達成するため、本発明の目的地登録システムは、目的地と、当該目的地の設定方法とを取得する目的地取得手段と、目的地の設定方法に応じて、目的地を登録対象とするか否かを判定する登録判定手段と、登録対象の目的地をデータベースに登録する登録手段と、を備える。
【０００６】
また、本発明の目的地登録方法は、目的地と、当該目的地の設定方法とを取得する目的地取得工程と、目的地の設定方法に応じて、目的地を登録対象とするか否かを判定する登録判定工程と、登録対象の目的地をデータベースに登録する登録工程と、を含む。
【０００７】
さらに、本発明の目的地登録プログラムは、目的地と、当該目的地の設定方法とを取得する目的地取得機能と、目的地の設定方法に応じて、目的地を登録対象とするか否かを判定する登録判定機能と、登録対象の目的地をデータベースに登録する登録手段と、をコンピュータに実現させる。
【０００８】
以上のように構成した本発明において、目的地の設定方法に応じて、ユーザの意思をどの程度強く反映して目的地が設定されたかを判断できる。また、ユーザの意思を強く反映して設定された目的地は、再度、ユーザが目的地として設定する可能性が大きいと言える。従って、目的地の設定方法に応じて、目的地を登録対象とするか否かを判定することにより、ユーザが目的地として設定する可能性が大きい地点を目的地のデータベースに登録できる。
【図面の簡単な説明】
【０００９】
【図１】目的地登録システムとしてのナビゲーション装置を示すブロック図である。
【図２】（２Ａ）は走行予定経路の模式図、（２Ｂ）はリストの例、（２Ｃ）は目的地登録処理のフローチャートである。
【発明を実施するための形態】
【００１０】
ここでは、下記の順序に従って本発明の実施の形態について説明する。
（１）ナビゲーション装置の構成：
（２）目的地登録処理：
（３）他の実施形態：
【００１１】
（１）ナビゲーション装置の構成：
図１は、本発明の一実施形態にかかる目的地登録システムとしてのナビゲーション装置１０の構成を示すブロック図である。ナビゲーション装置１０は、車両に備えられている。ナビゲーション装置１０は、制御部２０と記録媒体３０とを備えている。制御部２０は、ＣＰＵとＲＡＭとＲＯＭ等を備え、記録媒体３０やＲＯＭに記憶されたプログラムを実行する。記録媒体３０は、地図情報３０ａと目的地ＤＢ（データベース）３０ｂとを記録する。
【００１２】
地図情報３０ａは、道路上に設定されたノードの位置等を示すノードデータと、ノード同士を接続するリンクについての情報を示すリンクデータと、ノード同士を接続するリンクの形状を示す形状補間点データと、施設についての情報を示す施設データを含んでいる。ノードは交差点に対応し、リンクは交差点間を接続する道路区間に対応する。リンクデータは、リンクごとにリンクの長さを示す情報と、リンクごとに道路種別を示す情報とを含んでいる。施設データは、施設ごとに施設の位置や名称や属性等を示す情報である。施設データにおいて、施設ごとの属性として、エネルギー（電力、燃料等）の補給施設であるか否かが示される。
【００１３】
目的地ＤＢ３０ｂは、過去に設定された目的地を蓄積したデータベースである。目的地ＤＢ３０ｂにおいて、目的地ごとに、目的地の位置（経度、緯度）と目的地の名称と目的地の属性とが登録されている。目的地が施設データに規定された施設である場合、目的地ＤＢ３０ｂにおいて、当該施設の属性が目的地の属性として登録される。
【００１４】
車両は、ＧＰＳ受信部４１と車速センサ４２とジャイロセンサ４３とユーザＩ／Ｆ部４４とバッテリ４５とを備える。ＧＰＳ受信部４１は、ＧＰＳ衛星からの電波を受信し、図示しないインタフェースを介して車両の位置を算出するための信号を制御部２０に出力する。車速センサ４２は、車両が備える車輪の回転速度に対応した信号を制御部２０に出力する。ジャイロセンサ４３は、車両に作用する角加速度に対応した信号を制御部２０に出力する。
【００１５】
制御部２０は、車速センサ４２およびジャイロセンサ４３から出力された信号に基づく自立航法情報と地図情報３０ａとに基づいて車両の現在地が存在し得る比較対象道路を複数設定し、ＧＰＳ受信部４１にて取得されたＧＰＳ信号の誤差円に基づいて比較対象道路を絞り込む。そして、制御部２０は、絞り込まれた比較対象道路のうち、自立航法軌跡と形状が最も一致する道路を車両が走行している道路である走行道路として特定するマップマッチング処理を行い、当該マップマッチング処理によって特定された走行道路上で車両の現在地を特定する。
【００１６】
ユーザＩ／Ｆ部４４は、制御部２０から出力された映像信号や音声信号に基づいて各種案内を出力する出力装置（ディスプレイ，スピーカ等）と、ユーザから出発地Ｓや目的地Ｇの指定等の各種操作を受け付ける入力装置（タッチセンサ、操作ボタン等）とを含む。本実施形態では、出力装置と入力装置とがタッチパネルによって実現されている。
【００１７】
バッテリ４５は、車両が走行するための動力を発生させるモータに供給する電力を蓄電する二次電池であり、充電ステーション等において充電可能である。本実施形態の車両は、動力源としてモータのみを備える電気自動車であることとする。バッテリ４５は、図示しない制御回路を備えており、当該制御回路はバッテリ４５に充電されている残電力量を監視し、当該残電力量を示す信号をナビゲーション装置１０に出力する。電力は、本発明のエネルギーに相当する。
【００１８】
制御部２０はナビゲーションプログラム２１を実行する。ナビゲーションプログラム２１は、走行予定経路探索部２１ａと目的地取得部２１ｂと登録判定部２１ｃと登録部２１ｄとを含む。
走行予定経路探索部２１ａは、車両の走行予定経路を探索する機能を制御部２０に実現させるモジュールである。走行予定経路探索部２１ａの機能により制御部２０は、出発地と目的地とを接続する一連の道路区間によって構成される走行予定経路を公知の経路探索手法によって探索する。なお、走行予定経路の途中に設定された目的地を経由地と表し、走行予定経路の終点に設定された目的地を最終目的地と表す。走行予定経路探索部２１ａの機能により制御部２０は、地図情報３０ａに規定された地点のなかから位置やキーワード等に基づいて検索された目的地を使用して経路探索を行う。また、制御部２０は、目的地ＤＢ３０ｂに規定された地点のなかから位置やキーワード等に基づいて検索された目的地を使用して経路探索を行う。過去に目的地として設定した地点に行く走行予定経路を探索する場合、地図情報３０ａ全体から目的地を検索するよりも、目的地ＤＢ３０ｂを参照した方が容易に目的地を見つけることができる。制御部２０は、走行予定経路を探索すると、当該探索した走行予定経路を示す経路情報（不図示）を記録媒体３０に記録する。さらに、制御部２０は、車両が走行予定経路上を走行するための経路案内をユーザＩ／Ｆ部４４に出力させる。
【００１９】
走行予定経路探索部２１ａは、補給判定部２１ａ１と選択部２１ａ２とを含む。
補給判定部２１ａ１は、走行予定経路上における次の目的地に対して、車両がエネルギー（電力）を補給（充電）することなく到達できない要補給状態であるか否かを判定する機能を制御部２０に実行させるモジュールである。補給判定部２１ａ１の機能により制御部２０は、バッテリ４５の残電力を取得するとともに、走行予定経路上における現在地から次の目的地までの残距離を取得する。さらに、制御部２０は、車両の電費（単位走行距離あたりに車両が消費する電力量）を取得し、残距離に電費を乗算した消費電力量がバッテリ４５の残電力量よりも大きいか否かを判定する。そして、制御部２０は、消費電力量がバッテリ４５の残電力量よりも大きい場合にはバッテリ４５が要補給状態であると判定し、消費電力量がバッテリ４５の残電力量以下である場合にはバッテリ４５が要補給状態でないと判定する。なお、制御部２０は、道路区間ごとに異なる電費を使用して消費電力量を取得してもよい。例えば、制御部２０は、走行予定経路上における予想車速や道路勾配や天候や渋滞度等に応じて、道路区間ごとに異なる電費を使用して消費電力量を算出してもよい。
【００２０】
図２Ａは、走行予定経路Ｒを示す図である。同図において、走行予定経路Ｒ上に車両の現在地Ｐが存在し、最終目的地Ｇが走行予定経路Ｒ上の次の目的地になっている。この場合、制御部２０は、現在地Ｐから最終目的地Ｇまでの走行予定経路Ｒ上の残距離に電費を乗算した消費電力量が、バッテリ４５の残電力量よりも大きいか否かを判定する。
【００２１】
選択部２１ａ２は、バッテリ４５が要補給状態である場合に、エネルギー（電力）の補給施設（充電ステーション）を目的地として設定するための設定方法として、第１設定方法と第２設定方法とのいずれかを選択する操作をユーザから受け付ける機能を制御部２０に実行させるモジュールである。すなわち、制御部２０は、走行予定経路上における次の目的地に対して、充電することなく到達できない場合に、ユーザＩ／Ｆ部４４を介して、充電ステーション（経由地）の設定方法の選択を受け付ける。図２Ａにおいては、車両が充電することなく最終目的地Ｇに到達できない場合に、制御部２０は、経由地とする充電ステーションの設定方法の選択を受け付ける。例えば、制御部２０は、ユーザＩ／Ｆ部４４のタッチパネルにて、第１設定方法と第２設定方法とのそれぞれに対応するボタンを表示し、当該ボタンに対応する指等の接触を受け付ける。
【００２２】
ここで、第１設定方法は、複数の地点のなかからユーザの意思によって抽出された地点を目的地として設定する方法である。より具体的に、第１設定方法は、複数の地点のリストを出力部にて出力し、当該リストのなかからユーザの抽出操作によって抽出された地点を目的地として設定する方法である。第１設定方法が選択された場合、制御部２０は、走行予定経路Ｒ上に存在する充電ステーションを地図情報３０ａの施設データから検索し、当該検索した充電ステーションのリストをユーザＩ／Ｆ部４４のタッチパネルに表示させる。走行予定経路Ｒ上に存在する充電ステーションとは、走行予定経路Ｒを構成する道路区間から直接進入できる充電ステーションであってもよいし、走行予定経路Ｒから所定距離以内の充電ステーションであってもよい。
【００２３】
図２Ｂは、タッチパネルに表示されるリストＬの例を示す図である。同図に示すように、リストＬにおいて、走行予定経路Ｒ上に存在する充電ステーションＣ１〜Ｃ５の表示領域Ｑ１〜Ｑ５が一覧化されており、いずれかの表示領域Ｑ１〜Ｑ５に指等を接触させることにより、当該表示領域Ｑ１〜Ｑ５を選択（反転表示）することが可能となっている。リストＬを表示するにあたり、制御部２０は、バッテリ４５を充電することなく車両が到達できる現在地Ｐから最も遠い走行予定経路Ｒ上の地点である航続可能地点Ｅを取得し、走行予定経路Ｒ上における航続可能地点Ｅよりも現在地Ｐ側の区間に存在する充電ステーションＣ１〜Ｃ５を抽出し、当該抽出した充電ステーションＣ１〜Ｃ５についてリストＬを表示する。なお、制御部２０は、バッテリ４５の残電力量を電費で除算することにより航続可能距離を取得し、走行予定経路Ｒ上を現在地Ｐから航続可能距離だけ前方に進んだ地点を航続可能地点Ｅとして取得する。
【００２４】
制御部２０は、リストＬにおいて、いずれかの充電ステーションＣ１〜Ｃ５の表示領域Ｑ１〜Ｑ５が選択された状態で、決定ボタンＴに指等が接触した場合に、選択された表示領域Ｑ１〜Ｑ５に対応する充電ステーションＣ１〜Ｃ５を目的地（経由地）として設定する。この第１設定方法においては、充電ステーションＣ１〜Ｃ５の最終的な抽出がユーザの意思に委ねられていることとなる。
【００２５】
一方、第２設定方法は、複数の地点のなかからユーザの意思とは無関係に抽出された地点を目的地として設定する方法である。より具体的に、第２設定方法は、リストＬを出力部にて出力することなく、複数の地点のなかから所定の抽出規則に基づいて抽出した地点を目的地として設定する方法である。本実施形態の抽出規則は、バッテリ４５を充電することなく車両が到達できる現在地Ｐから最も遠い走行予定経路Ｒ上の充電ステーションＣ５を抽出するという規則である。この抽出規則は、充電ステーションＣ５を一意に抽出する規則であり、当該抽出においてユーザの意思が介在しない。
【００２６】
具体的に、制御部２０は、走行予定経路Ｒ上における航続可能地点Ｅよりも現在地Ｐ側の区間に存在する充電ステーションＣ１〜Ｃ５のうち、最も航続可能地点Ｅに近い充電ステーションＣ５を抽出する。なお、抽出規則は、最も充電料金が小さい充電ステーションＣ１〜Ｃ５を抽出することであってもよいし、最も現在位置に近い充電ステーションＣ１〜Ｃ５を抽出することであってもよいし、最も新しい充電ステーションＣ１〜Ｃ５を抽出することであってもよい。また、第２設定方法において、制御部２０は、複数の抽出規則のうち抽出に使用する抽出規則を選択するためのユーザの操作を受け付けてもよい。この場合でも、最終的に一意に充電ステーションＣ１〜Ｃ５を抽出する段階では、ユーザの意思が介在しないこととなる。
【００２７】
走行予定経路探索部２１ａの機能により制御部２０は、要補給状態において充電ステーションＣ１〜Ｃ５が経由地として設定されると、当該経由地としての充電ステーションＣ１〜Ｃ５を走行予定経路Ｒに追加する。なお、経由地として設定された充電ステーションＣ１〜Ｃ５が走行予定経路Ｒ上の道路区間から直接進入できない場合（充電ステーションＣ１〜Ｃ５が走行予定経路Ｒから所定距離以内の場合）、制御部２０は、走行予定経路Ｒのうち、現在地Ｐから経由地としての充電ステーションＣ１〜Ｃ５を経由して次の目的地に到達するまでの部分を再度探索してもよい。
【００２８】
目的地取得部２１ｂは、目的地と、当該目的地の設定方法とを取得する機能を制御部２０に実現させるモジュールである。すなわち、目的地取得部２１ｂの機能により制御部２０は、要補給状態において充電ステーションＣ１〜Ｃ５が経由地として設定された場合に、当該経由地としての充電ステーションＣ１〜Ｃ５とともに、当該経由地として充電ステーションＣ１〜Ｃ５を設定した際の設定方法（第１設定方法または第２設定方法）を取得する。
【００２９】
登録判定部２１ｃは、目的地の設定方法に応じて、目的地を登録対象とするか否かを判定する機能を制御部２０に実現させるモジュールである。すなわち、登録判定部２１ｃの機能により制御部２０は、要補給状態において充電ステーションＣ１〜Ｃ５が経由地として設定された際の設定方法に応じて、当該経由地としての充電ステーションＣ１〜Ｃ５を目的地ＤＢ３０ｂに登録するか否かを判定する。
【００３０】
具体的に、登録判定部２１ｃの機能により制御部２０は、第１設定方法によって設定された目的地を登録対象とすると判定し、第２設定方法によって設定された目的地を登録対象としないと判定する。上述のように、第１設定方法は、複数の充電ステーションＣ１〜Ｃ５のリストＬをタッチパネルにて出力し、当該リストＬのなかからユーザの抽出操作によって抽出された充電ステーションＣ１〜Ｃ５を経由地として設定する方法である。一方、第２設定方法は、リストＬをタッチパネルにて出力することなく、複数の充電ステーションＣ１〜Ｃ５のなかから所定の抽出規則に基づいて抽出した充電ステーションＣ１〜Ｃ５を経由地として設定する方法である。
【００３１】
登録部２１ｄは、登録対象の目的地をデータベースに登録する機能を制御部２０に実現させるモジュールである。すなわち、登録部２１ｄの機能により制御部２０は、登録対象であると判定された経由地としての充電ステーションＣ１〜Ｃ５、つまりリストＬにて選択された充電ステーションＣ１〜Ｃ５を目的地ＤＢ３０ｂに登録する。具体的に、制御部２０は、登録対象の充電ステーションＣ１〜Ｃ５の位置（経度、緯度）と名称と属性（充電施設）とを目的地ＤＢ３０ｂに登録する。
【００３２】
以上のように構成した本実施形態において、目的地の設定方法に応じて、ユーザの意思をどの程度強く反映して目的地が設定されたかを判断できる。ユーザの意思を強く反映して設定された目的地は、再度、ユーザが目的地として設定する可能性が大きいと言える。
従って、ユーザが目的地として設定する可能性が大きい充電ステーションＣ１〜Ｃ５を目的地ＤＢ３０ｂに登録できる。
【００３３】
ここで、ユーザの意思によって抽出された目的地は、ユーザの意思を強く反映して設定された目的地である可能性が大きいと考えることができる。一方、ユーザの意思とは無関係に抽出された目的地は、ユーザの意思を強く反映して設定された目的地である可能性が小さいと考えることができる。従って、複数の地点のなかからユーザの意思によって抽出された地点を目的地として設定する設定方法である第１設定方法によって設定された目的地を登録対象とすることにより、ユーザが目的地として設定する可能性が大きい地点を目的地ＤＢ３０ｂに登録できる。特に、出力されたリストＬからユーザの選択操作によって抽出された目的地（経由地としての充電ステーションＣ１〜Ｃ５）は、ユーザの意思を強く反映して設定された目的地である可能性が大きいと考えることができる。従って、ユーザが目的地として設定する可能性が大きい地点を目的地ＤＢ３０ｂに登録できる。なお、リストＬは、目的地が抽出可能なＵＩであればよく、図２Ａのように複数の地点が示された地図であってもよい。
【００３４】
また、バッテリ４５が要補給状態である場合において、ユーザは、エネルギーを補給できれさえすればよいと考えて、第２設定方法によって普段は目的地として設定しない充電ステーションＣ５が目的地として設定されることを許容する場合がある。第２設定方法によって設定された目的地を登録対象としないことにより、普段は目的地として設定しない充電ステーションＣ５が目的地ＤＢ３０ｂに登録されることを防止できる。
【００３５】
（２）目的地登録処理：
次に、目的地登録処理の一例について詳細に説明する。図２は、目的地登録処理のフローチャートである。目的地登録処理は、走行予定経路Ｒの経路案内を行っている期間において、所定の時間周期または走行距離周期が経過するごとに実行する処理である。
【００３６】
まず、補給判定部２１ａ１の機能により制御部２０は、バッテリ４５が要補給状態であるか否かを判定する（ステップＳ１００）。具体的に、制御部２０は、車両の電費（単位走行距離あたりに車両が消費する電力量）を取得し、残距離に電費を乗算した消費電力量がバッテリ４５の残電力量よりも大きいか否かを判定する。そして、制御部２０は、消費電力量がバッテリ４５の残電力量よりも大きい場合にはバッテリ４５が要補給状態であると判定し、消費電力量がバッテリ４５の残電力量以下である場合にはバッテリ４５が要補給状態でないと判定する。なお、走行予定経路Ｒは基本的にバッテリ４５が要補給状態とならないように探索されるが、当該走行予定経路Ｒ上において予期しない渋滞や寄り道等の電力消費があった場合に、バッテリ４５が要補給状態となり得る。
【００３７】
バッテリ４５が要補給状態であると判定されなかった場合（ステップＳ１００：Ｎ）、制御部２０は、目的地登録処理の最初にリターンする。すなわち、制御部２０は、バッテリ４５が要補給状態となるまで待機する。一方、バッテリ４５が要補給状態であると判定された場合（ステップＳ１００：Ｙ）、登録判定部２１ｃの機能により制御部２０は、充電ステーションＣ１〜Ｃ５が走行予定経路Ｒの経由地としてとして追加されたか否かを判定する（ステップＳ１１０）。なお、要補給状態において制御部２０は、経由地の設定方法を選択するための画面をユーザＩ／Ｆ部４４にて出力して経由地の設定をユーザに促すが、当該画面をユーザが無視した場合、充電ステーションＣ１〜Ｃ５が走行予定経路Ｒの経由地として追加されないこととなる。
【００３８】
充電ステーションＣ１〜Ｃ５が走行予定経路Ｒの経由地としてとして追加されたと判定されなかった場合（ステップＳ１１０：Ｎ）、制御部２０は、目的地登録処理の最初にリターンする。すなわち、制御部２０は、要補給状態において走行予定経路Ｒの経由地が追加されるまで待機する。一方、充電ステーションＣ１〜Ｃ５が走行予定経路Ｒの経由地としてとして追加されたと判定された場合（ステップＳ１１０：Ｙ）、目的地取得部２１ｂの機能により制御部２０は、経由地と、当該経由地の設定方法とを取得する（ステップＳ１１５）。すなわち、制御部２０は、経由地として設定された充電ステーションＣ１〜Ｃ５とともに、当該経由地として充電ステーションＣ１〜Ｃ５を設定した際の設定方法（第１設定方法または第２設定方法）を取得する。
【００３９】
そして、登録判定部２１ｃの機能により制御部２０は、経由地としての充電ステーションＣ１〜Ｃ５が第１設定方法で設定されたか否かを判定する（ステップＳ１２０）。すなわち、制御部２０は、リストＬ（図２Ｂ）において選択された充電ステーションＣ１〜Ｃ５が経由地として設定されたか否かを判定する。
【００４０】
経由地としての充電ステーションＣ１〜Ｃ５が第１設定方法で設定されたと判定されなかった場合（ステップＳ１２０：Ｎ）、登録部２１ｄの機能により制御部２０は、目的地登録処理の最初にリターンする。すなわち、制御部２０は、経由地としての充電ステーションＣ１〜Ｃ５の設定方法が第２設定方法である場合、当該経由地としての充電ステーションＣ１〜Ｃ５を目的地ＤＢ３０ｂに登録しないと判定し、目的地登録処理の最初にリターンする。つまり、制御部２０は、経由地としての充電ステーションＣ１〜Ｃ５がユーザの意思とは無関係に抽出されていた場合、当該該経由地としての充電ステーションＣ１〜Ｃ５を目的地ＤＢ３０ｂに登録しない。具体的に、制御部２０は、バッテリ４５を充電することなく車両が到達できる現在地Ｐから最も遠い走行予定経路Ｒ上の充電ステーションＣ１〜Ｃ５を抽出するという抽出規則に基づいて抽出された充電ステーションＣ５を目的地ＤＢ３０ｂに登録しない。
【００４１】
一方、経由地としての充電ステーションＣ１〜Ｃ５が第１設定方法で設定されたと判定された場合（ステップＳ１２０：Ｙ）、登録部２１ｄの機能により制御部２０は、経由地として設定された充電ステーションＣ１〜Ｃ５を目的地ＤＢ３０ｂに登録する（ステップＳ１３０）。すなわち、制御部２０は、経由地としての充電ステーションＣ１〜Ｃ５の設定方法が第１設定方法である場合、当該経由地としての充電ステーションＣ１〜Ｃ５を登録対象であると判定し、当該登録対象の充電ステーションＣ１〜Ｃ５を目的地ＤＢ３０ｂに登録する。つまり、制御部２０は、経由地としての充電ステーションＣ１〜Ｃ５が最終的にユーザの意思によって一意に抽出されていた場合、当該該経由地としての充電ステーションＣ１〜Ｃ５を目的地ＤＢ３０ｂに登録する。具体的に、制御部２０は、登録対象の充電ステーションＣ１〜Ｃ５の位置（経度、緯度）と名称と属性（充電施設）とを目的地ＤＢ３０ｂに登録する。
【００４２】
（３）他の実施形態：
本発明において、目的地は必ずしも補給施設に限らない。すなわち、エネルギーの補給が必要であるか否かに拘わらず、目的地は少なくとも２通りの設定方法が選択可能な状況で設定された目的地であればよい。例えば、目的地を任意の検索キーワードに基づいて抽出する構成において、検索キーワードに対するマッチング度が上位の複数の地点（施設に限らない）のなかから最終的に目的地をユーザが選択する第１設定方法と、検索キーワードに対するマッチング度が最も大きい地点を自動的に目的地に設定する第２設定方法と、が用意される構成において、制御部２０は、第１設定方法によって設定された目的地のみを目的地ＤＢ３０ｂに登録してもよい。むろん、目的地の設定方法が３個以上用意されていてもよい。
【００４３】
また、制御部２０は、設定方法のみに応じて目的地を目的地ＤＢ３０ｂに登録するか否かを判定しなくてもよく、設定方法および他の条件に応じて目的地を目的地ＤＢ３０ｂに登録するか否かを判定してもよい。例えば、制御部２０は、設定方法に応じて登録対象とすると判定された目的地であっても、車両が現実に到達しなかった目的地について目的地ＤＢ３０ｂに登録しないようにしてもよい。
【００４４】
ここで、目的地取得手段は、目的地と、当該目的地の設定方法とを取得すればよく、当該目的地が設定された際の設定方法を当該目的地ともに取得すればよい。例えば、目的地の設定が車両にて行われ、目的地の登録が車両外のサーバ等で行われる場合、当該サーバの目的地取得手段が目的地の設定方法を車両から通信によって取得してもよい。ここで、目的地とは、車両が到達する予定の地点を意味し、最終目的地であってもよいし、経由地であってもよい。また、目的地は、車両が到達する予定の地点であればよく、必ずしも実際に車両が到達した地点でなくてもよい。設定方法とは、地図情報に規定された複数の候補の地点のなかから目的地を設定する際に採用された方法である。ここで、目的地の設定方法に応じて目的地に対するユーザの意思の反映度の強さが異なることとなる。
【００４５】
登録判定手段は、目的地の設定方法に応じて、目的地をデータベースに登録すべきか否かを判定すればよく、目的地の設定方法ごとに目的地をデータベースに登録すべきか否か切り替えればよい。例えば、登録判定手段は、目的地に対するユーザの意思の反映度が所定基準以上となる設定方法によって設定された目的地を登録対象として判定し、目的地に対するユーザの意思の反映度が所定基準未満となる設定方法によって設定された目的地を登録対象として判定しないようにしてもよい。また、複数の地点から目的地とする地点の候補を検索する設定方法において、ユーザが検索条件（検索キーワード等）を設定したか否かに応じて、目的地を登録対象とするか否かを判定してもよい。これにより、ユーザの意思を強く反映して設定された目的地のみをデータベースに登録していくことができる。登録手段は、登録対象の目的地をデータベースに登録すればよく、予め記録媒体に記録されているデータベースに新たな目的地を追加登録してもよい。データベースとは、過去に設定された目的地を規定したデータであり、これから目的地を設定するにあたり、目的地の候補を取得するために参照されるデータベースであってもよい。
【００４６】
また、目的地の設定方法として、複数の地点のなかからユーザの意思によって抽出された地点を目的地として設定する第１設定方法と、複数の地点のなかからユーザの意思とは無関係に抽出された地点を目的地として設定する設定方法である第２設定方法と、が少なくとも含みまれてもよい。この場合、登録判定手段は、複数の地点のなかからユーザの意思によって抽出された地点を目的地として設定する設定方法である第１設定方法によって設定された目的地を登録対象とすると判定し、複数の地点のなかからユーザの意思とは無関係に抽出された地点を目的地として設定する設定方法である第２設定方法によって設定された目的地を登録対象としないと判定してもよい。ここで、ユーザの意思によって抽出された目的地は、ユーザの意思を強く反映して設定された目的地である可能性が大きいと考えることができる。一方、ユーザの意思とは無関係に抽出された目的地は、ユーザの意思を強く反映して設定された目的地である可能性が小さいと考えることができる。従って、ユーザが目的地として設定する可能性が大きい地点を目的地のデータベースに登録できる。ユーザの意思とは無関係に抽出されたとは、複数の候補の地点から目的地を選択する際の選択対象の決定がユーザの意思に委ねられていないこと意味する。例えば、目的地の抽出処理自体がユーザの操作をトリガーとして開始していたとしても、最終的に目的地を一意に抽出する抽出対象がユーザの意思に委ねられていない場合には、ユーザの意思とは無関係に抽出されていないこととなる。
【００４７】
さらに、第１設定方法は、複数の地点のリストを出力部にて出力し、当該リストのなかからユーザの抽出操作によって抽出された地点を目的地として設定する方法であってもよい。すなわち、登録判定手段は、複数の地点のリストを出力部にて出力し、当該リストのなかからユーザの抽出操作によって抽出された地点を目的地として設定する第１設定方法によって設定された目的地を登録対象とすると判定してもよい。一方、第２設定方法は、リストを出力部にて出力することなく、複数の地点のなかから所定の抽出規則に基づいて抽出した地点を目的地として設定する方法であってもよい。すなわち、登録判定手段は、リストを出力部にて出力することなく、複数の地点のなかから所定の抽出規則に基づいて抽出した地点を目的地として設定する第２設定方法によって設定された目的地を登録対象としないと判定してもよい。ここで、出力されたリストからユーザの選択操作によって抽出された目的地は、ユーザの意思を強く反映して設定された目的地である可能性が大きいと考えることができる。従って、ユーザが目的地として設定する可能性が大きい地点を目的地のデータベースに登録できる。所定の抽出規則とは、目的地を抽出するための抽出条件を規定した規則であり、予め用意されている規則（少なくとも抽出処理中にユーザによって改変されない規則）である。
【００４８】
また、目的地登録システムは、走行予定経路上における次の目的地に対して、車両がエネルギーを補給することなく到達できない要補給状態であるか否かを判定する補給判定手段と、要補給状態である場合に、エネルギーの補給施設を目的地として設定するための設定方法として、第１設定方法と第２設定方法とのいずれかを選択する操作をユーザから受け付ける選択手段と、をさらに備えてもよい。要補給状態である場合において、ユーザは、エネルギーを補給できれさえすればよいと考えて、第２設定方法によって普段は目的地として設定しない補給施設が目的地（経由地）として設定されることを許容する場合がある。第２設定方法によって設定された目的地を登録対象としないことにより、普段は目的地として設定しない補給施設がデータベースに登録されることを防止できる。エネルギーとは、車両が走行するための動力部に供給するエネルギーであって、ガソリンや軽油や燃料ガスや液体水素等の燃料であってもよいし、電力であってもよいし、今後開発されるいかなる動力エネルギーであってもよい。
【００４９】
さらに、本発明のように、目的地をデータベースに登録するか否かを判定する手法は、プログラムや方法としても適用可能である。また、以上のようなシステム、プログラム、方法は、単独の装置として実現される場合や、複数の装置によって実現される場合、車両に備えられる各部と共有の部品を利用して実現される場合が想定可能であり、各種の態様を含むものである。例えば、以上のような手段を備えた目的地登録装置や方法、プログラムを提供することが可能である。また、一部がソフトウェアであり一部がハードウェアであったりするなど、適宜、変更可能である。さらに、システムを制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【符号の説明】
【００５０】
１０…ナビゲーション装置、２０…制御部、２１…ナビゲーションプログラム、２１ａ…走行予定経路探索部、２１ａ１…補給判定部、２１ａ２…選択部、２１ｂ…目的地取得部、２１ｃ…登録判定部、２１ｄ…登録部、３０…記録媒体、３０ａ…地図情報、３０ｂ…目的地ＤＢ、４１…ＧＰＳ受信部、４２…車速センサ、４３…ジャイロセンサ、４４…ユーザＩ／Ｆ部、４５…バッテリ、Ｃ１〜Ｃ５…充電ステーション、Ｅ…航続可能地点、Ｌ…リスト、Ｐ…現在地。
【図１】
2015132568.tif 000003
【図２】
2015132568.tif 000004